(57)【要約】【課題】不安定なエンジン動作を短時間で終わらせてエンジン動作を安定化させる。【解決手段】掃気通路18に供給した先導空気を燃焼室12に供給して燃焼ガスの掃気を促す層状掃気式２サイクルエンジンである。吸気系は、掃気通路18に先導空気を供給する空気通路26を含み、空気通路26には、エアクリーナ20の第２開口20bを通じて空気が供給される。第２開口20bには、マニュアル式の空気制限部材40が設けられている。ユーザの操作によって空気制限部材40で第２開口20bを閉じることができる。【選択図】図6
2020084867.tif 000002
【特許請求の範囲】
【請求項１】
シリンダ内を往復動するピストンと、
該ピストンによって画成される燃焼室と、
クランク室と、
該クランク室に常時連通し且つ前記ピストンによって開閉される掃気窓を通じて前記燃焼室と連通可能な掃気通路と、
前記シリンダに形成され、前記ピストンによって開閉される混合気ポートと、
前記シリンダに形成され、前記ピストンによって開閉される空気ポートと、
前記混合気ポートに連結され且つ該混合気ポートを通じて前記クランク室に混合気を供給する混合気通路及び前記空気ポートに連結され且つ該空気ポートを通じて前記掃気通路に先導空気を供給する空気通路を有し、更に少なくとも前記混合気通路の一部を構成する混合気チャンネルとスロットル弁とを備え、該混合気チャンネルで前記混合気を生成する気化器を有する吸気系とを含み、
該吸気系は、その上流端にエアクリーナを含み、
該エアクリーナは、前記混合気通路の入口を構成する第１開口及び前記空気通路の入口を構成する第２開口を有し、
前記クランク室で予め圧縮した混合気を前記掃気通路を通じて前記燃焼室に供給するのに先立って、前記掃気通路に供給した前記先導空気を前記燃焼室に供給して燃焼ガスの掃気を促す層状掃気式２サイクルエンジンであって、
前記空気通路、前記空気ポート、前記第２開口のいずれかに設けられ、前記空気通路を通じて前記掃気通路に供給する空気の量を制限する空気制限部材を有し、
該空気制限部材はユーザによって手動操作されることを特徴とする層状掃気式２サイクルエンジン。
【請求項２】
前記空気通路が、前記気化器とは別の独立した通路で構成されている、請求項１に記載の層状掃気式２サイクルエンジン。
【請求項３】
前記気化器が、前記混合気チャンネルの他に、前記空気通路の一部を構成する空気チャンネルを有する、請求項１に記載の層状掃気式２サイクルエンジン。
【請求項４】
前記空気制限部材が、前記エアクリーナの前記第２開口に設けられている、請求項１〜３のいずれか一項に記載の層状掃気式２サイクルエンジン。
【請求項５】
前記空気制限部材が、前記第２開口に隣接して配置された軸部と、該軸部を中心にして前記第２開口を横断する方向に回動し且つ前記第２開口を閉じることのできる面積を有する空気制限部材本体と、前記軸部に連結された操作レバーとを有し、
該操作レバーをユーザが操作することにより前記空気制限部材本体によって第２開口を閉じることができる、請求項４に記載の層状掃気式２サイクルエンジン。
【請求項６】
前記エアクリーナは、エレメントを収容したケース本体を有し、該ケース本体が、前記操作レバーの操作範囲を規定する第１、第２のストッパを有し、
ユーザが前記操作レバーを第１ストッパと衝突するまで動かすと、前記空気制限部材本体によって第２開口を閉じた状態となり、前記操作レバーを第２ストッパと衝突するまで動かすと、前記空気制限部材本体が第２開口から離れて前記第２開口が完全に開放された原位置に戻る、請求項５に記載の層状掃気式２サイクルエンジン。
【請求項７】
前記空気制限部材が、前記空気制限部材本体を開く方向に付勢する戻りバネを更に有し、
該戻りバネによって前記空気制限部材は、前記第２ストッパと衝突した原位置に復帰する、請求項６に記載の層状掃気式２サイクルエンジン。
【請求項８】
前記空気制限部材が、前記第２開口に隣接して配置された軸部と、該軸部を中心にして前記第２開口を横断する方向に回動し且つ前記第２開口を閉じることのできる面積を有する空気制限部材本体と、該空気制限部材本体を開く方向に付勢する戻りバネと、前記軸部に連結された中継レバーと、該中継レバーに関連したプッシュ部材とを有し、
ユーザが前記プッシュ部材を押すことにより、前記戻りバネの付勢力に抗して、前記空気制限部材本体で前記第２開口を閉じることができ、
ユーザが前記プッシュ部材を開放することにより、前記空気制限部材本体は、前記戻りバネの付勢力によって、前記第２開口から離れた原位置に復帰する、請求項４に記載の層状掃気式２サイクルエンジン。
【請求項９】
前記空気通路に設けられた先導空気弁と、
該先導空気弁を前記スロットル弁に機械的に連結する連携機構とを更に有し、
該連携機構が、前記先導空気弁の開弁タイミングを前記スロットル弁の開弁タイミングから遅延させる空気弁制御機構を有する、請求項１〜８のいずれか一項に記載の層状掃気式２サイクルエンジン。
【発明の詳細な説明】
【技術分野】
【０００１】
本発明は層状掃気式２サイクルエンジンに関する。
【背景技術】
【０００２】
２サイクルエンジンは、軽量、重量比で高出力であることから、ブロア、チェーンソー、刈払機などの携帯作業機の駆動源として用いられている。２サイクルエンジンは、クランク室で予圧縮された混合気を燃焼室に供給する掃気通路を有し、燃焼室に供給される混合気を使って燃焼ガスの掃気が行われる。
【０００３】
２サイクルエンジンは、掃気行程において混合気がそのまま排気される、いわゆる「吹き抜け」の問題が内在している。この「吹き抜け」問題を改善するため、混合気に先立って空気を燃焼室に供給する層状掃気式エンジンが開発され普及している(例えば特許文献１)。層状掃気式エンジンにおいて、混合気に先立って燃焼室に供給される空気は「先導空気」と呼ばれている。層状掃気式エンジンは、先導空気によって燃焼ガスの排気が促されるため、排気ガス中の未燃ガスの量を低減できるという利点を有している。
【０００４】
層状掃気式２サイクルエンジンの吸気系は、混合気をクランク室に供給するための混合気通路に加えて、先導空気を掃気通路に供給するための空気通路を有している。層状掃気式エンジンの吸気系は３つのタイプに大別することができる。
【０００５】
特許文献１、２は第１のタイプの吸気系を開示している。この第１のタイプの吸気系は、気化器から独立した空気通路を有し、この空気通路を通じて掃気通路に先導空気が供給される。空気通路には先導空気弁が配設され、この先導空気弁は、混合気通路に設けられたスロットル弁(出力制御弁)と機械的に連携される。スロットル弁は、ユーザが操作するトリガと連携している。ユーザのスロットル操作によってスロットル弁が開閉動作し、そして、これに連動して先導空気弁が開閉動作する。特許文献１、２において、特許文献１にあっては、スロットル弁としてバタフライ弁が設けられたバタフライ式気化器が採用され、他方、空気通路の先導空気弁としてロータリ弁が採用されている。これらスロットル弁、ロータリ弁は機械的に連携されている。他方、特許文献２にあっては、スロットル弁及び先導空気弁が共にバタフライ弁で構成され、この２つのバタフライ弁は機械的に連携されている。
【０００６】
特許文献３、４は第２のタイプの吸気系を開示している。この第２のタイプの吸気系は２つのボアを有する気化器を含んでいる。２ボア式気化器は、第１ボアによって混合気チャンネルが形成され、第２ボアによって空気チャンネルが形成されている。特許文献３に開示の気化器は、混合気チャンネルにはバタフライ弁からなるスロットル弁が設けられている。他方、空気チャンネルには、バタフライ弁からなる先導空気弁が設けられ、この空気弁とスロットル弁とは機械的に連携されている。他方、特許文献４は２ボア気化器の概要しか記載されていないが、混合気チャンネルにベンチュリが図示されている。したがって、特許文献４に開示の気化器は、バタフライ弁からなるスロットル弁を備えたバラフライ式気化器である。
【０００７】
特許文献５は第３のタイプの吸気系を開示している。この第３のタイプの吸気系は、単一のボアを有する気化器を含み、この単一のボアには、バタフライ弁からなるスロットル弁と、これに隣接する仕切りプレートとが設けられている。そして、スロットル全開のとき、スロットル弁（バタフライ弁）と仕切りプレートとで、混合気チャンネルと空気チャンネルとが形成される。気化器はインシュレータを介して層状掃気式２サイクルエンジンに連結される。インシュレータには、パーティションによって区画された混合気通路と空気通路とが形成されている。
【０００８】
ところで、エンジンの始動性、特に冷間時の始動性を確保するための部材としてチョーク弁が知られている。チョーク弁は、混合気チャンネルに供給する空気の量を制限するのに用いられる。そして、このチョーク弁を使うことで、混合気チャンネルで生成される混合気の燃料含有量を高めて燃料リッチな混合気を燃焼室に供給することで、円滑にエンジンを始動させることができる。
【０００９】
特許文献５は一つの典型的なチョーク弁を開示している。特許文献５に開示のチョーク弁はバタフライ弁で構成され、このチョーク弁はスロットル弁の上流側に配置されている。
【００１０】
特許文献３、４は他の典型的なチョーク弁を開示している。このチョーク弁は、エアクリーナに配置されたプレート部材で構成されている。エアクリーナは、ろ過した空気を混合気通路に供給する第１開口を有し、この第１開口にプレート状のチョーク弁が設けられ、プレート状チョーク弁を一つの軸線を中心に揺動させることで第１開口を横断する方向に回動して第１開口を開け閉めすることができる。
【００１１】
特許文献３、４に開示の第２のタイプの吸気系は、前述したように、２ボア式気化器を含んでいる。特許文献３に開示のエアクリーナは、２ボア式気化器の空気チャンネルに空気を供給するために、第１開口と第２開口とを有し、第１開口及び第２開口は共通の開口に通じている。特許文献４に開示のエアクリーナは、第１開口と第２開口とが独立しており、第１開口と第２開口とは互いに隣接して配置されている。上述したプレート状のチョーク弁は、第１開口及び第２開口を閉じることができる面積を有し、このプレート状チョーク弁によって第１開口と一緒に第２開口が開け閉めされる。これにより、エンジン始動時にチョーク弁によって第１、第２の開口を閉じることにより、混合気通路及び空気通路の双方に供給する空気の量を制限することができる。これにより始動時にエンジンに供給する混合気の燃料含有量を高めることができ、このリッチ混合気によってエンジンの始動性を高めることができる。
【００１２】
上述した先導空気弁に関連して、層状掃気式エンジンの吸気系に含まれる先導空気弁は、上述したように、出力制御弁であるスロットル弁と機械的に連携されている。この機械的連携の構造において、近時のエンジンには、機械的な構造の空気弁制御機構が付加されている（特許文献１、６、７）。空気弁制御機構は、低負荷時には空気弁を閉じた状態を維持し、高負荷時に、スロットル弁に連動して空気弁が開く。したがって、ユーザがスロットル弁を一気に開く操作を行ったとき、これに応答してスロットル弁は閉じ状態から一気に全開状態まで開く。これに対して、先導空気弁は、空気弁制御機構によって、スロットル弁の変化に遅れて変化する。すなわち、スロットル弁が一気に開いたとき、このタイミングから遅れて先導空気弁が開く。
【００１３】
空気弁制御機構に関し、特許文献１は、空気弁を構成するロータリ弁のボア形状に工夫が施されている。ロータリ弁のボアは、ロータリ弁が開弁方向に回転しても一定の回転角度までは閉じ状態を維持する形状を有している。
【００１４】
特許文献６に開示の空気弁はバタフライ弁で構成されている。そして、このバタフライ弁とスロットル弁とはリンク機構によって機械的に連携されている。リンク機構は、スロットル弁に関連した第１リンクと、空気弁（バタフライ弁）に関連した第２リンクと、第１、第２リンクを連結する連結ロッドとを含んでいる。第１リンクはスリットを有し、このスリットに連結ロッドの一端が挿入されている。この構成において、スロットル弁が全閉から半開き状態になるまでの間は、連結ロッドの一端が第１リンクのスリットの中を移動する。これにより、低負荷時は、スロットル弁の開き動作が空気弁（バタフライ弁）に伝わらず、空気弁は閉じ状態が維持される。すなわち、上記のリンク機構は、低負荷時、スロットル弁の開き動作を空気弁に伝達しない不感帯を備えた構造を有している。
【００１５】
特許文献７は層状掃気式エンジンに適用されるロータリ式気化器を開示している。このロータリ式気化器は、前述した２ボア式気化器に属する。したがって、特許文献７は前述した第２タイプの吸気系を開示していると云うことができる。特許文献７に開示のロータリ式気化器は、上下２段のロータリ弁を有し、下段のロータリ弁が混合気チャンネルに位置し、上段のロータリ弁が空気チャンネルに位置している。上下のロータリ弁はカム溝とピンとで連結され、下段のロータリ弁（スロットル弁）が全閉状態から所定の回転角度まで軸回転したとしても、上段のロータリ弁（先導空気弁）は閉じた状態が維持される。
【００１６】
スロットル弁と先導空気弁との間の機械的連携構造に上記の空気弁制御機構を付加することで、低負荷時には先導空気がエンジンに供給されない。これにより、低負荷時では、燃焼室に供給する混合気が過剰に希薄になるのを阻止することができる。他方、高負荷時には、先導空気がエンジンに供給され、この先導空気によって燃焼ガスの掃気が行われる。
【先行技術文献】
【特許文献】
【００１７】
【特許文献１】US 7,389,754 B2
【特許文献２】US 7,503,292 B2
【特許文献３】JP特開２００３−３５３０８号公報
【特許文献４】US 8,875,677 B2
【特許文献５】US 2013/0228152 A1
【特許文献６】US 6,328,288 B1
【特許文献７】JP特開２００１−３２９８４５号公報
【発明の概要】
【発明が解決しようとする課題】
【００１８】
２サイクルエンジンは、エンジンが起動した後、動作が安定化するのに時間を要する場合がある。この問題を図１８、図１９を参照して説明する。図１８は、ロータリ式気化器の模式図であり、図１９は、スロットル弁としてバタフライ弁を採用したバタフライ式気化器の模式図である。
【００１９】
図１８に図示のロータリ式気化器３００は、燃料源の燃料タンク３０２から燃料が供給されるダイヤフラム・メタリング室３０４に通じるノズル３０６を有し、このノズル３０６から吐出される燃料の量を調整するためにニードル３０８が設けられている。参照符号３１０は混合気チャンネルを示し、参照符号３１２はロータリ弁を示す。ロータリ弁３１２は、ユーザが操作するトリガＴrに連携され、ユーザがトリガＴrを操作することによりロータリ弁３１２が軸回転する。混合気チャンネル３１０には、エアクリーナ３１６でろ過した空気が供給され、そしてノズル３０６から吐出される燃料で混合気が生成される。混合気チャンネル３１０で生成した混合気はエンジン本体３１８に供給される。
【００２０】
図１９は、スロットル弁としてバタフライ弁３２０を備えたバタフライ式気化器３２２を示す。バラフライ弁３２０は、ユーザが操作するトリガＴrに連携され、ユーザがトリガＴrを操作することによりバラフライ弁３２０が開閉動作する。バタフライ式気化器３２２は、ベンチュリー部３２４に配置されたメインノズル３２６と、バタフライ弁３２０に隣接したスロー系ノズル３２８とを有し、アイドル時ではスロー系ノズル３２８から混合気チャンネル３３０に燃料が吐出され、パーシャルあるいはフルスロットル時ではメインノズル３２６から混合気チャンネル３３０に燃料が吐出される。
【００２１】
ロータリ式気化器３００のノズル３０６、バタフライ式気化器３２２のメインノズル３２６及びスロー系ノズル３２８を総称して「燃料吐出部」と呼び、参照符号３４０を付記する。また、ロータリ式気化器３００の混合気チャンネル３１０、バタフライ式気化器３２２の混合気チャンネル３３０を総称して単に「混合気チャンネル」と呼び、参照符号３４２を付記する。
【００２２】
環境温度が低温のときの問題：
環境温度が低温の場合、燃料の粘性によって気化器３００、３２２内の燃料の流れが安定しない。この結果、例えばエンジン起動後、作業を開始するためにスロットル弁を一気に開く、最初のスロットル全開（初加速）操作があったとき、混合気チャンネル３４２に供給される燃料の量が不安定になり、エンジン回転数が円滑に上昇しないという問題を招き易い。特許文献１、６、７を参照して上述した先導空気弁を備えたエンジンでは、ユーザの操作に伴うスロットル弁の開き動作に連動して先導空気弁が開き、掃気通路に先導空気が供給される。これに対して、クランク室に供給される混合気の燃料含有量が不安定だと、燃焼室に供給される混合気が希薄（リーン混合気）な状態になる。このことが原因で、エンジン回転数が円滑に上昇しない、という問題が発生する。
【００２３】
エンジン停止直後に再起動したときの問題：
作業を中断してエンジンの動作を止めると、気化器３００、３２２はエンジンの熱を受けて高温になる。気化器３００、３２２が高温になると、気化器３００、３２２内に滞留している燃料は、燃料によっては沸騰して気泡を含んだ状態になる。作業を再開するためにエンジンを起動すると、燃料吐出部３４０から気泡を含んだ燃料が吐出されるため、混合気チャンネル３４２に供給される燃料の量が不足した状態になり、そして、エンジンに供給される混合気の空燃比が希薄(リーン混合気)になる。これが原因でエンジン動作が不安定になる。したがって、エンジン起動後、作業を開始するために一気にスロットル弁を開く初加速のとき、エンジン回転数が円滑に上昇しないという問題を招き易い。
【００２４】
燃料に含まれる水分やダストによる問題：
燃料フィルタを通過したゴミや、アルコール燃料を使用した場合に、アルコールに由来して生成される物質や、燃料タンクに侵入した雨水や結露などによる水滴は燃料と混ざることなく気化器通路内に送られ、気化器通路内の狭い箇所に留まる場合がある。その場合、燃料量が不足し、混合気チャンネルで生成される混合気が希薄(リーン混合気)となり、その結果、エンジンの動作が不安定になる。
【００２５】
本発明の目的は、様々な原因で発生する不安定なエンジン動作を短時間で終わらせてエンジン動作を安定化させることができる層状掃気式２サイクルエンジンを提供することにある。
【課題を解決するための手段】
【００２６】
上記の技術的課題は、本発明によれば、層状掃気式２サイクルエンジンの掃気通路に供給する空気の量を制限する空気制限部材を設けることにより達成することができる。この空気制限部材は、スロットル弁の動作とは無関係に、ユーザの操作によって開閉動作する。したがって、ユーザは、トリガ操作とは無関係に、空気制限部材を全閉あるいは半開き状態にすることができる。
【００２７】
本発明に従う層状掃気式２サイクルエンジンによれば、ユーザは、必要に応じて、空気制限部材を使って掃気通路に供給する空気の量を制限することができる。そして、掃気通路に供給する空気量を制限することで、随時、混合気通路の負圧を大きくすることができる。その結果、混合気チャンネルに燃料を取り込む力が大きくなる。これを利用して、気化器内の燃料が例えば気泡を含んでいる場合、この気泡を含んだ燃料を短時間のうちに取り出すことができる。また、空気制限部材によって掃気通路に供給する空気の量を制限することで、燃焼室に供給する混合気をリッチにすることができる。リッチ混合気を燃焼室に供給する運転状態では、後に説明するように、燃料含有量の変動に対してエンジン回転数の変動幅は小さい。したがって、本発明によれば、混合気の燃料含有量の増減に対してエンジン回転数の変動幅が小さい、という特性を利用しながら、エンジン動作を早期に安定化させることができる。
【００２８】
本発明の概念を図１ないし図３に図示の模式図を参照して詳しく説明する。層状掃気式２サイクルエンジンの吸気系は３つのタイプに分類できるのは前述した通りである。この３つのタイプの吸気系を含む２サイクルエンジンの各々に本発明を適用することができる（図１〜図３）。図１は、特許文献１、２に開示の第１のタイプの吸気系を含む層状掃気式２サイクルエンジン１００を示す。図２は、特許文献３、４に開示の第２のタイプの吸気系を含む層状掃気式２サイクルエンジン１０２を示す。図３は、特許文献５に開示の第３のタイプの吸気系を含む層状掃気式２サイクルエンジン１０４を示す。
【００２９】
図１ないし図３において、参照符号２はエンジン本体を示す。エンジン本体２には吸気系４と排気系６が連結される。エンジン本体２は、シリンダ８の中を往復動するピストン１０を有し、このピストン１０によって燃焼室１２が画成されている。参照符号１４は点火プラグである。燃焼室１２は掃気通路１８を介してクランク室１６と連通可能である。参照符号１８aは掃気通路１８の掃気窓を示す。好ましくは、エンジン本体２はシリンダ８に形成された各種のポートをピストン１０によって開閉するピストンバルブ式であるのがよい。そして、掃気窓１８aもピストン１０によって開閉される。換言すれば、掃気通路１８の下端はクランク室１６に常時連通している。
【００３０】
吸気系４は、その上流端にエアクリーナ２０を有し、エアクリーナ２０のエレメント２２で浄化された空気は、エアクリーナ２０の第１、第２の開口２０a、２０bを通じてエンジン本体２に供給される。
【００３１】
吸気系４は混合気通路２４と空気通路２６を有し、混合気通路２４は、エアクリーナ２０の第１開口２０aから受け取った空気で混合気を生成し、そして混合気をクランク室１６に供給する。参照符号８aはシリンダ８の混合気ポートを示す。混合気ポート８aはピストン１０によって開閉される。混合気ポート８aは混合気通路２４から混合気を受け取り、この混合気をクランク室１６に供給する。他方、空気通路２６は、エアクリーナ２０の第２開口２０bから受け取った空気を掃気通路１８に供給する。参照符号８bは、シリンダ８の空気ポートを示す。空気ポート８bはピストン１０によって開閉される。空気ポート８bは空気通路２６から空気を受け取り、この空気を掃気通路１８に供給する。
【００３２】
シリンダ８の空気ポート８bから掃気通路１８に空気を供給する例示的な具体的構造としてピストン溝Ｐgが知られている。ピストン溝Ｐgは、US 2016/0097343 A1に開示のように、ピストン１０の周面に形成された溝である。このピストン溝Ｐgと空気ポート８bとの連通/遮断及びピストン溝Ｐgと掃気通路１８との連通/遮断はピストン１０によって制御される。空気通路２６の空気はピストン溝Ｐgによって掃気通路１８の上部に供給される。
【００３３】
図１に図示の層状掃気式２サイクルエンジン１００に含まれる気化器３０はロータリ式気化器であってもよいし、バタフライ式気化器であってもよい。気化器内の混合気チャンネルを参照符号３０aで示す。図２に図示の層状掃気式２サイクルエンジン１０２に含まれる気化器３２は２ボア式気化器で構成され、混合気チャンネル３２aと空気チャンネル３２bを有している。この気化器３２は、ロータリ式気化器３００（図１８）であってもよいし、バタフライ式気化器３２２（図１９）であってもよい。図３に図示の層状掃気式２サイクルエンジン１０４に含まれる気化器３４はバタフライ弁からなるスロットル弁３６を備えた１ボア式気化器で構成され、スロットル弁３６が全開（フルスロットル）状態のときに、スロットル弁３６と仕切り壁３８とで混合気チャンネル３４aと空気チャンネル３４bを形成する。
【００３４】
図１ないし図３において、前述したスロットル弁や図１８、図１９を参照して説明した燃料吐出部３４０の図示は省略してある。また、図１ないし図３に図示の層状掃気式２サイクルエンジン１００、１０２、１０４において、必要に応じて、特許文献６などを参照して説明した先導空気弁及びスロットル弁との機械的連携構造、空気弁制御機構を付加するのが好ましい。
【００３５】
図１ないし図３を参照して、吸気系４の空気通路２６は空気制限部材４０を含み、空気制限部材４０によって掃気通路１８に供給する空気の量を自在に制限できる。空気制限部材４０は手動であり、前述したトリガ操作つまりスロットル操作とは無関係に、ユーザの意思に基づいて、空気通路２６を全閉あるいは半開きなど空気制限部材４０の開度を調整できる。
【００３６】
空気制限部材４０は、空気通路２６の任意の箇所に設置することができる。また、エアクリーナ２０の第２開口２０b又はシリンダ８の空気ポート８bに空気制限部材４０を設置することができる。空気制限部材４０は例えばバタフライ弁で構成してもよいし、空気通路２６、第２開口２０b、空気ポート８bを横断する方向に変位可能なプレート部材で構成してもよい。
【００３７】
例示的に低温の環境下での空気制限部材４０の使用に伴うエンジン本体２の動作を以下に説明する。例えば低温の環境下でエンジン本体２を起動する際に、ユーザは空気制限部材４０を閉じる操作を行っても良いし、エンジン起動直後にユーザが空気制限部材４０を閉じる操作を行ってもよい。例えば空気制限部材４０を閉じた後にエンジン本体２を起動させ、そして、エンジン本体２が起動した後も、エンジン本体２の動作が安定するまで空気制限部材４０を閉じたままにしておくことで、エンジン起動後のトリガ操作つまりスロットル弁を一気に開く操作があった場合に、混合気通路２４の負圧を大きくすることができ、これにより図１８、図１９を参照して説明した燃料吐出部３４０から燃料を吸い出す力を高めることができる。
【００３８】
これにより、例えば低温の環境下での初加速において、燃料の粘性に打ち勝って燃料吐出部３４０から燃料を吐出させることができる。また、空気制限部材４０を閉じることで空気通路２６を通じて掃気通路１８に供給される先導空気の量が大幅に制限されるため、燃焼室１２に供給する混合気はリッチ混合気になる。
【００３９】
図４は、スロットル全開状態において、混合気の燃料含有量とエンジン回転数との関係を示す図である。図４から分かるように、混合気の燃料含有量が最適値よりも多い（リッチ混合気）とき、燃料含有量の増減に対してエンジン回転数の変動幅は比較的小さい。すなわち、リッチ混合気のとき、燃料含有量の増減に対してエンジンは鈍感であり、エンジン回転数の変動幅は小さい。
【００４０】
他方、混合気の燃料含有量が最適値よりも少ない（リーン混合気）とき、図４から分かるように、燃料含有量の増減に対してエンジン回転数の変動は大きい。すなわち、リーン混合気のとき、燃料含有量の増減に対してエンジンが敏感に反応してエンジン回転数は大きく変化する。
【００４１】
本発明によれば、空気通路２６を空気制限部材４０によって閉じる又は半開き状態にすることに伴って燃焼室１２に供給される混合気はリッチ混合気になる。したがって、空気制限部材４０を使うことで、混合気に含まれる燃料含有量の変動に対してエンジン動作を鈍感にすることができる。また、空気制限部材４０の作用に伴って、混合気通路２４の負圧は大きくなる。これにより、燃料吐出部３４０（図１８、図１９）には大きな負圧が作用し、この大きな負圧によって、燃料吐出部３４０から燃料の吐出を強制することができる。したがって、前述した冷間起動時の問題に対して、エンジン本体２の動作を早期に安定化させることができる。
【００４２】
前述したエンジン停止直後に再起動したときの問題や燃料に含まれる水分やダストによる問題に対しても同様であり、空気制限部材４０を使うことで、これらの問題に対処することができる。
【００４３】
本発明は、典型的には、特許文献１、６、７を参照して説明した「先導空気弁」及び「空気弁制御機構」を備えた層状掃気式２サイクルエンジンに適用される。「先導空気弁」及び「空気弁制御機構」は既に多くのエンジンに適用されている。空気制限部材４０を付加することにより、「先導空気弁」及び「空気弁制御機構」を備えたエンジンを更に進化させることができる。「先導空気弁」及び「空気弁制御機構」を備えたエンジンに適用する場合、空気制限部材４０の構成に戻りバネを加えるのがよい。この戻りバネに関し、後に図１５ないし図１７を参照して説明する。ユーザが操作している最中、空気制限部材４０は、エンジンに供給する導入空気を制限する。ユーザが空気制限部材４０を開放すると、戻りバネの付勢力によって空気制限部材４０は原位置に自動的に戻る。これにより「先導空気弁」及び「空気弁制御機構」を備えたエンジンは通常の動作状態に復帰する。
【００４４】
本発明の作用効果及び他の目的は、図面を参照した、本発明の好ましい実施の形態の説明から明らかになろう。
【図面の簡単な説明】
【００４５】
【図１】本発明の概念を説明するための図であり、第１タイプの吸気系に空気制限部材を設けたエンジンを示す。
【図２】本発明の概念を説明するための図であり、第２タイプの吸気系に空気制限部材を設けたエンジンを示す。
【図３】本発明の概念を説明するための図であり、第３タイプの吸気系に空気制限部材を設けたエンジンを示す。
【図４】スロットル全開の状態において、混合気の燃料含有量とエンジン回転数の関係を説明するための図である。
【図５】実施例のエンジンの模式図であり、このエンジンには２ボア且つバタフライ弁を備えた気化器が組み込まれている。
【図６】実施例のエンジンの模式図であり、このエンジンには２ボアロータリ式気化器が組み込まれている。
【図７】実施例のエンジンに組み込まれたエアクリーナの斜視図であり、エアクリーナのカバー部材を取り除いた状態で図示されている。
【図８】図７に図示のエアクリーナの分解斜視図である。
【図９】図７に図示のエアクリーナの底面図である。
【図１０】図７に図示のエアクリーナに組み込まれた空気制限部材の全体構成図である。
【図１１】実施例のエンジンの冷間始動時において時間の経過に伴うエンジン回転数の変化を示す図である。
【図１２】比較例として空気制限部材無しのエンジンに関する図１１に対応した図である。
【図１３】実施例のエンジンの熱間再始動時において時間の経過に伴うエンジン回転数の変化を示す図である。
【図１４】比較例として空気制限部材無しのエンジンに関する図１３に対応した図である。
【図１５】図７ないし図１０に図示のエアクリーナの第１変形例を示す図であり、図８に対応した分解斜視図である。
【図１６】図７ないし図１０に図示のエアクリーナの第２変形例を示す図であり、図８に対応した分解斜視図である。
【図１７】図１６に図示のエアクリーナの底面図である。
【図１８】ロータリ式気化器の模式図である。
【図１９】バタフライ式気化器の模式図である。
【発明を実施するための形態】
【実施例】
【００４６】
以下に、添付の図面に基づいて本発明の好ましい実施例を説明する。図５は実施例の層状掃気式２サイクルエンジンの全体構成を示す模式図である。図５に図示の層状掃気式２サイクルエンジン２００は、特許文献３、４に開示の第２のタイプの吸気系を含んでいる(図２)。以下の説明において、前述した図２に開示の要素と同じ要素には同じ参照符号を付してその説明を省略する。
【００４７】
図５において、エンジン本体２は空冷単気筒である。バタフライ式気化器２０２は２ボア式気化器で構成され、混合気チャンネル２０２aと空気チャンネル２０２bとを有し、これらのチャンネル２０２a、２０２bは互いに独立している。混合気チャンネル２０２aには、バタフライ弁からなるスロットル弁２０４と、好ましくはチョーク弁２２２とが配設されている。スロットル弁２０４はトリガＴrに連携され、トリガＴrをユーザが操作すると、これに応じてスロットル弁２０４が開閉動作する。
【００４８】
空気チャンネル２０２bには、好ましくは先導空気弁２２４が設けられ、この先導空気弁２２４はスロットル弁２０４と機械的に連結されている。この連携機構２２６は空気弁制御機構２２８を含むのが好ましい。この空気弁制御機構２２８によって先導空気弁２２４は、前述したように、スロットル弁２０４の動作タイミングに遅延して開き動作を開始する。
【００４９】
バタフライ式気化器２０２は、図６に図示のように、ロータリ式気化器２０６に置換してもよい。ロータリ式気化器２０６は２ボア式気化器であり、混合気チャンネル２０６aと空気チャンネル２０６bとを有している。ロータリ式気化器２０６の具体的な構造は、例えば特許文献７に開示の気化器であり、この気化器は、前述したように、上下２段のロータリ弁と、これらの連携機構に付加された空気弁制御機構を備えている。従来と同様に、下段のロータリ弁（スロットル弁）は、トリガＴr(図５)に連携されており、ユーザの操作に応じて動作し、また、このスロットル弁の動作タイミングに遅延して先導空気弁（上段のロータリ弁）が動作する。
【００５０】
なお、図５に図示のバタフライ式気化器２０２及び図６に図示のロータリ式気化器２０６は、線図の錯綜を回避するために、図１８、図１９を参照して説明した燃料吐出部３４０の図示を省いてある。
【００５１】
図５、図６を参照して、吸気系４の上流端に位置するエアクリーナ２０は、エレメント２２がケース２１２に収容されている。エアクリーナ・エレメント２２は、ケース２１２の周囲壁２１６に隣接して配置され、周方向に連続して延びる平面視リング状の形状を有している。混合気チャンネル２０２a、２０６aに通じる第１開口２０a及び空気チャンネル２０２b、２０６bに通じる第２開口２０bはケース２１２の底壁２１８に設けられ、第１、第２の開口２０a、２０bは互いに独立している。
【００５２】
図５、図６に示す参照符号２２０は通路延長部材を示す。通路延長部材２２０は、混合気通路２４の長さを延長するための部材であり、混合気通路２４の入口を構成する第１開口２０aに連結される。通路延長部材２２０を第１開口２０aに連結することにより、混合気通路２４が延長される。すなわち、第１開口２０aに通路延長部材２２０を連結することにより、吸気系４の混合気通路２４の通路入口は通路延長部材２２０の自由端２２０aによって形成される。第２開口２０bは、空気通路２６の始端つまり通路入口を構成している。この第２開口２０bに空気制限部材４０が設けられている。
【００５３】
図７ないし図９は、エアクリーナ２０の具体的な構造の一例を説明するための図である。図７は、エアクリーナ２０の内部構造を示す斜視図であり、図８は分解斜視図であり、図９は、エアクリーナ２０の底面図である。
【００５４】
エアクリーナ２０のケース２１２は２分割構造である。ケース２１２は、その下部を構成するケース本体２３０と、このケース本体２３０に対して脱着可能なカバー（図示せず）とで構成されている。エアクリーナ２０は、ケース本体２３０がバタフライ式気化器２０２(図５)又はロータリ式気化器２０６（図６）に連結される。
【００５５】
図７、図８を参照して、ケース本体２３０は、その底壁２１８が平面視円形である（図９）。そして、周囲壁２１６は、底壁２１８の外周縁から鉛直に延び且つ周方向に連続している。底壁２１８には第１、第２の開口２０a、２０bが形成されている。図８の参照符号２３２、２３４はボルト挿通孔であり、この２つのボルト挿通孔２３２、２３４を貫通する２本のボルト（図示せず）を使ってケース本体２３０が気化器２０２、２０６に固定される。
【００５６】
通路延長部材２２０は、平面視したときに、周囲壁２１６に沿って延びるリング状の形状を有し、始端（自由端）２２０aと、第１開口２０aに臨む終端２２０bとを有している。終端２２０bには、作図上の理由から図面には表れていないが、第１開口２０aに臨む延長通路出口が開口している。通路延長部材２２０の始端（自由端）２２０aには延長通路入口２３６が設けられている。エアクリーナ・エレメント２２(図５、図６)でろ過された空気は、延長通路入口２３６から通路延長部材２２０の中に入り、そして、延長通路出口及び第１開口２０aを通じて、バタフライ式気化器２０２の混合気チャンネル２０２a(図５)又はロータリ式気化器２０６の混合気チャンネル２０６a（図６）に供給される。
【００５７】
第２開口２０bに設けた空気制限部材４０について、図８ないし図１０を参照して説明する。図９は、エアクリーナ２０（ケース本体２３０）の底面図である。図１０は、空気制限部材４０の全体構成を説明するための斜視図である。
【００５８】
図１０を参照して、空気制限部材４０は、プレート状の空気制限部材本体２４０と、操作レバー２４２と、空気制限部材本体２４０と操作レバー２４２との間に位置する軸部２４４とを有している。空気制限部材本体２４０は、図８から最も良く分かるように、ケース本体２３０の内部に配置されている。空気制限部材本体２４０は、第２開口２０bを閉じる面積を有し、軸部２４４を中心に一つの平面上を揺動する。他方、操作レバー２４２は、図９から最も良く分かるように、底壁２１８の外に且つ底壁２１８に隣接して配置されている。そして、空気制限部材４０の軸部２４４は、第２開口２０bに隣接した位置において、ケース本体２３０の底壁２１８を貫通して配置されている。
【００５９】
操作レバー２４２の自由端部２４２aは、ケース本体２３０を下から見たときに、周囲壁２１６から外方に突出して位置しており（図７〜図９）、ユーザが操作する操作部を構成している。すなわち、操作レバー２４２の自由端部２４２aを人為的に操作して、操作レバー２４２を軸部２４４を中心に揺動させることにより、軸部２４４を中心としてプレート状の空気制限部材本体２４０を揺動させることができる。空気制限部材本体２４０は、第２開口２０bを横断する方向に回動することで第２開口２０bの開口面積を変えることができる。
【００６０】
図９を参照して、ケース本体２３０の底壁２１８には、操作レバー２４２を挟んで第１、第２のストッパ２５０、２５２が設けられている。第１、第２のストッパ２５０、２５２は操作レバー２４２の操作範囲を規定する。スロットル弁の操作とは無関係に、ユーザは指を使って操作レバー２４２を第１ストッパ２５０と衝突するまで動かすと、空気制限部材本体２４０は、第２開口２０bを閉じる位置（作用位置）に位置決めされる。他方、操作レバー２４２を第２ストッパ２５２と衝突するまで動かすと、空気制限部材本体２４０は、第２開口２０bから離れた位置（原位置）に位置決めされ、これにより第２開口２０bは完全に開放された状態となる。また、第１、第２のストッパ２５０、２５２の中間位置に操作レバー２４２を位置させると、第２開口２０bは空気制限部材本体２４０で半分閉じた状態になる。
【００６１】
図１１は、実施例の層状掃気式２サイクルエンジン２００の一つの効果を説明するための図であり、ゼロ℃の環境下で始動した時（冷間始動時）のエンジン回転数の変動を示す。なお、このテストは、ロータリ式気化器２０６を組み込んだエンジン（図６）で行った。この始動操作は、通常の始動操作マニュアルに従って行った。したがって、スロットル弁及び先導空気弁は閉じ状態である。なお、このテストでは空気制限部材４０を閉じ状態にして始動したが、始動時には空気制限部材４０を開放状態にしておき、エンジン始動操作が終わった段階で空気制限部材４０を閉じ状態にしてもよい。
【００６２】
図１１を参照して具体的に説明する。ゼロ℃の環境下において、空気制限部材４０を全閉状態にし、ロータリ弁２０８をアイドル位置にセットした状態でエンジン本体２を起動した後、約１０秒後にロータリ弁２０８を一気に全開にした（初加速）。図１１から、この初加速のスロットル操作に追従してエンジン回転数が一気に上昇しているのが分かる。また、図１１から、初加速でエンジン回転数が一気に上昇した後、高いエンジン回転数で安定しているのが分かる。スロットル全開後、約１１秒後に空気制限部材４０を操作して、第２開口２０bを全開にした。これに伴いエンジン回転数は、所望の高回転レベルに移行した。
【００６３】
図１２は、比較例として、第２開口２０bから空気制限部材４０を取り除いたエンジンでテストした結果を示す。このテストを行った時の環境温度は0.9℃であった。使用したエンジンは、図１１を参照して説明した実施例の層状掃気式２サイクルエンジン２００から空気制限部材４０を省いたエンジンであった。
【００６４】
比較例の図１２を参照して、0.9℃の環境下において、ロータリ弁２０８をアイドル位置にセットした状態でエンジン本体２を起動した後、約１０秒後にロータリ弁２０８を一気に全開にした（初加速）。図１２から、この初加速のスロットル操作に対して、エンジン回転数の上昇が追従していないだけでなく、変動幅が極めて大きいことが分かる。ロータリ弁２０８を全開状態（初加速）にした後、約２５秒経過した後に、ようやくエンジン回転数が安定した。
【００６５】
低温の環境下において、比較例では、初加速（エンジン始動後の最初のスロットル弁全開）において、エンジン回転数が安定するまでの所要時間は約２５秒であった。この間の不安定なエンジン動作は、混合気通路２４を通じて燃焼室１２に供給される混合気の量が安定していないことに起因して燃焼室１２に供給される混合気がリーン混合気になることを意味している。図４を参照して上述したように、リーン混合気は、燃料含有量の変動に伴うエンジン回転数の変動幅が大きい。
【００６６】
図１３は、実施例の層状掃気式２サイクルエンジン２００の他の効果を説明するための図であり、作業を中断し、そしてエンジンを再起動したときを想定したテスト結果を示す。具体的には、４０℃の環境において、スロットル全開で１０分間、エンジンを動作させた後にエンジンを停止して３０ないし３５分間、エンジン停止状態のまま放置して、エンジンからの熱で気化器の温度が最も高くなった時にエンジンを再起動して直ちに一気にスロットル全開にした。このテストは、図１１に関連して説明した実施例の層状掃気式２サイクルエンジン２００と同じエンジン（図６）を使った。
【００６７】
図１３を参照して、４０℃の環境下において、スロットル全開の状態でエンジン本体２を起動したときのエンジン回転数の変化を示す。使用した燃料は、「冬用」と呼ばれる燃料を使用した。一般に燃料には冬用、夏用の２種類の燃料があり、冬用燃料は揮発性が相対的に高い特性（沸点が低い特性）を有している。携帯作業機の一般的な使われ方を観察すると、作業を中断する際に、エンジンの動作を停止し、エンジンが十分に暖かい状態でエンジンを再び起動して作業を再開することが多々ある。
【００６８】
一般的に、フルスロットルで動作していたエンジンの熱は、エンジン動作を停止すると気化器に移行して気化器の温度を上昇させる。この時の気化器の温度は４０℃を越える温度まで上昇する。その状態で、エンジンを再起動すると、気化器は混合気を生成する過程の気化熱によって気化器はほぼ環境温度まで下がる。エンジン動作を停止した直後に発生する現象つまりエンジンの熱を受け取ることによる気化器の温度上昇は、気化器内部の燃料通路などにおいて、燃料の沸騰を招く原因となる。この沸騰により気化器内部の燃料は気泡を含んだ状態となる。
【００６９】
実施例の層状掃気式２サイクルエンジン２００を４０℃の環境下に置くことで、冬用燃料は沸騰し易い状態になる。フルスロットルで運転した直後にエンジン停止すると、エンジンの熱によって気化器２０６の温度は上昇する。これにより気化器２０６の内部に存在する冬用燃料が沸騰するため、気化器２０６の内部の燃料は気泡を含む状態になる。このような状態において、空気制限部材４０で第２開口２０bを閉じた状態でエンジンを起動し、そして直ちにスロットル全開にした。図１３から分かるように、エンジン回転数は一気に上昇して安定状態になっている。起動からエンジン回転数が安定するまでに要した時間は約６０秒であった。
【００７０】
図１４は、比較例として、図１２の比較テストと同様に、第２開口２０bから空気制限部材４０を取り除いたエンジンでテストした結果を示す。このテストは、図１３のテスト結果のときと同じ条件で行った。すなわち、４０℃の環境下において、スロットル全開で１０分間、エンジンを動作させた後にエンジンを停止して３０ないし３５分間、エンジン停止状態のまま放置して、気化器の温度が最も高くなった時にエンジンを再起動して直ちに一気にスロットル全開にした。
【００７１】
図１４から分かるように、エンジン回転数が上昇する過程においてエンジン回転数の変動が大きい。起動からエンジン回転数が安定するまでに要した時間は約１２５秒であった。ここに、安定とは、エンジンから排出されるCOの濃度に基づく言葉であると理解されたい。上記の約６０秒、約１２５秒は排出COの濃度が所望のレベルに達するまでに要した時間を意味している。
【００７２】
実施例の層状掃気式２サイクルエンジン２００において、空気通路２６を通じてエンジン本体２に供給する空気を空気制限部材４０で制限することで、混合気通路２４の負圧は大きくなる。そして、この大きな負圧によって気化器２０６の中に存在する気泡を含んだ燃料が早期に気化器２０６から除去できる。この効果は図１３のテスト結果から明白である。また、空気通路２６を通じてエンジン本体２に供給する空気を空気制限部材４０で大幅に制限することで、燃焼室１２に供給される混合気がリッチになるため、スロットル全開操作に応答して直ちにエンジン回転数が安定的に上昇している。
【００７３】
比較例では、気化器２０６の中に存在する気泡を含んだ燃料を除去するのに、時間を要することを図１４のテスト結果が表している。また、気化器２０６から気泡を含んだ燃料が抜け出ることによって燃焼室１２に供給される混合気がリーンになるため、スロットル全開操作に応答できず、エンジン回転数が不安定な状態が暫くの間、発生している。このことは、図４を参照して前述した混合気の燃料含有量の変動とエンジン回転数との関係からも理解できる。
【００７４】
図７ないし図９を参照して説明したエアクリーナ２０の第1の変形例を図１５を参照して説明する。図１５に図示の第1変形例のエアクリーナ２６０は、空気制限部材４０の構成要素に戻りバネ２６２を付加した点に特徴があり、他の要素は図７などに図示のエアクリーナ２０と同じである。図１５に図示のエアクリーナ２６０の説明において、図７などに図示のエアクリーナ２０と同じ要素には同じ参照符号を付して、その説明を省略する。
【００７５】
図１５を参照して、戻りバネ２６２は、空気制限部材４０の軸部２４４に取り付けたコイルバネ２６４で構成され、コイルバネ２６４の一端が空気制限部材本体２４０に係止され、他端がケース本体２３０に係止されている。ユーザは、コイルバネ２６４（戻りバネ２６２）の付勢力に抗して操作レバー２４２を操作することで空気制限部材４０を閉じる方向に回転させることができる。ユーザが操作レバー２４２から手を離すと、コイルバネ２６４（戻りバネ２６２）の付勢力によって空気制限部材４０は全開状態に戻る（原位置に復帰）。したがって、ユーザは、必要に応じて、操作レバー２４２を操作して空気制限部材４０を所望の閉じ状態にし、そしてその操作位置を維持することにより空気制限部材４０を所望の閉じ位置（作用位置）に位置決めできる。そして、例えばエンジン動作が安定したら操作レバー２４２から手を離すだけで、空気制限部材４０はコイルバネ２６４の付勢力によって全開状態（原位置）に復帰し、第２開口２０bは全開状態になる。
【００７６】
図１６、図１７は、エアクリーナ２０の第２の変形例を示す。図１６は、第２変形例のエアクリーナ２７０の分解斜視図であり、図１７はエアクリーナ２７０の底面図である。
【００７７】
図１６を参照して、空気制限部材４０は、図１０、図１５などを参照して前述したプレート状の空気制限部材本体２４０、軸部２４４、戻りバネ２６２（コイルバネ２６４）とを有し、空気制限部材本体２４０は、軸部２４４を中心に揺動し、また、戻りバネ２６２によって開き方向に付勢されている。
【００７８】
図１７を参照して、軸部２４４には中継レバー２７２の一端２７２aが取り付けられ、この中継レバー２７２はケース本体の底壁２１８の外側に配置されている。中継レバー２７２の他端には受け面２７２bが形成されている。中継レバー２７２の受け面２７２bに臨んでプッシュ部材２８０が取り付けられている。プッシュ部材２８０は、ケース本体２３０の外側において、底壁２１８に隣接して配置され、底壁２１８のほぼ半径方向に延びている。プッシュ部材２８０は、中継レバー受け面２７２bに当接する内端部２８０aと、外方に突出して位置する外端部２８０bとを有し、外端部２８０bはユーザが操作する操作部を構成している。
【００７９】
ユーザは、必要に応じて、プッシュ部材２８０を押して空気制限部材４０を所望の閉じ状態にし、そしてその操作位置を維持することにより空気制限部材４０をその閉じ状態（作用位置）に位置決めできる。そして、例えばエンジン動作が安定したらプッシュ部材２８０から手を離すだけで、空気制限部材４０はコイルバネ２６４の付勢力によって全開状態（原位置）に戻り、第２開口２０bは全開状態になる。
【００８０】
図１５ないし図１７に図示の変形例、つまり戻りバネ２６２の付勢力で空気制限部材４０を原位置に戻す構成は、特許文献１、６、７を参照して説明した「先導空気弁」及び「空気弁制御機構」を備えた層状掃気式２サイクルエンジンに好適に適用することができる。これにより、「先導空気弁」及び「空気弁制御機構」を備えた層状掃気式２サイクルエンジンを更に進化させることができる。ユーザは、必要に応じて、空気制限部材４０を操作することで、エンジンの不安定なエンジン動作を短時間で終わらせることができる。
【符号の説明】
【００８１】
２  エンジン本体
４  吸気系
８  シリンダ
８a  混合気ポート
８b  空気ポート
１０  ピストン
１２  燃焼室
１６  クランク室
１８  掃気通路
１８a  掃気窓
２０  エアクリーナ
２０a  エアクリーナの第１開口
２０b  エアクリーナの第２開口
２４  吸気系の混合気通路
２６  吸気系の空気通路
４０  空気制限部材
２２４  先導空気弁
２２６  連携機構
２２８  空気弁制御機構
２４０  空気制限部材本体（プレート状）
２４２  空気制限部材の操作レバー
２４４  空気制限部材の軸部
２５０  操作レバーの操作範囲を規定する第１ストッパ
２５２  操作レバーの操作範囲を規定する第２ストッパ
２６４  コイルバネ（戻りバネ）
２７２  空気制限部材の中継レバー
２８０  空気制限部材の操作部を構成するプッシュ部材
Ｔr  操作トリガ
【図１】
2020084867.tif 000003
【図２】
2020084867.tif 000004
【図３】
2020084867.tif 000005
【図４】
2020084867.tif 000006
【図５】
2020084867.tif 000007
【図６】
2020084867.tif 000008
【図７】
2020084867.tif 000009
【図８】
2020084867.tif 000010
【図９】
2020084867.tif 000011
【図１０】
2020084867.tif 000012
【図１１】
2020084867.tif 000013
【図１２】
2020084867.tif 000014
【図１３】
2020084867.tif 000015
【図１４】
2020084867.tif 000016
【図１５】
2020084867.tif 000017
【図１６】
2020084867.tif 000018
【図１７】
2020084867.tif 000019
【図１８】
2020084867.tif 000020
【図１９】
2020084867.tif 000021